(57)【要約】【課題】操作性の向上と誤操作の防止とを両立し、さらには美観の向上にも資することが可能な車両用ドアハンドルを提供する。【解決手段】車両用ドアハンドル構造は、車両のドアの車外側に設けられドアの開閉時に把持されるフロントドアハンドル１０２と、フロントドアハンドル１０２に設けられたフロント開口１２２と、フロント開口１２２内に設けられ押し込まれることでフロントドア１０６を開扉する押しボタン式のフロントハンドルスイッチ１２０とを備える。フロントドアハンドル１０２のうちフロント開口１２２の周囲には、フロントドアハンドル１０２の表面よりも落ち込んでいてフロントハンドルスイッチ１２０をより深い位置まで露出させているフロント切欠領域１２４が形成されている。【選択図】図２
2018062735.tif 000002
【特許請求の範囲】
【請求項１】
車両用ドアハンドル構造において、
車両のドアの車外側に設けられ該ドアの開閉時に把持されるドアハンドルと、
前記ドアハンドルに設けられた開口と、
前記開口内に設けられ押し込まれることで前記ドアを開扉する押しボタン式のハンドルスイッチを備え、
前記ドアハンドルのうち前記開口の周囲には、該ドアハンドルの表面よりも落ち込んでいて前記ハンドルスイッチをより深い位置まで露出させている切欠領域が形成されていることを特徴とする車両用ドアハンドル構造。
【請求項２】
前記ドアはスライド式であり、
前記ハンドルスイッチの頂部は前記ドアハンドルの表面と面一であり、あるいは該表面よりも埋没していることを特徴とする請求項１に記載の車両用ドアハンドル構造。
【請求項３】
前記ドアはヒンジ式であり、
前記ハンドルスイッチの頂部は前記ドアハンドルの表面よりも突出していることを特徴とする請求項１に記載の車両用ドアハンドル構造。
【請求項４】
車両用ドア構造において、
前部座席用のフロントドアと、
前記フロントドアの後部の車外側に設けられ該フロントドアの開閉時に把持される車両前後方向に長手のフロントドアハンドルと、
前記フロントドアハンドルの後端に設けられたフロント開口と、
前記フロント開口内に設けられ押し込まれることで前記フロントドアを開扉する押しボタン式のフロントハンドルスイッチと、
前記フロントドアハンドルのうち前記フロント開口の周囲に設けられ、該フロントドアハンドルの表面よりも落ち込んでいて前記フロントハンドルスイッチをより深い位置まで露出させているフロント切欠領域と、
前記フロントドアに隣接している後部座席用のリアドアと、
前記リアドアの前部の車外側に設けられ該リアドアの開閉時に把持される車両前後方向に長手のリアドアハンドルと、
前記リアドアハンドルの前端に設けられたリア開口と、
前記リア開口内に設けられ押し込まれることで前記リアドアを開扉する押しボタン式のリアハンドルスイッチと、
前記リアドアハンドルのうち前記リア開口の周囲に設けられ、該リアドアハンドルの表面よりも落ち込んでいて前記リアハンドルスイッチをより深い位置まで露出させているリア切欠領域を備え、
前記フロントハンドルスイッチの頂部は前記フロントドアハンドルの表面よりも突出していて、
前記リアハンドルスイッチの頂部は前記リアドアハンドルの表面と面一であり、あるいは該表面よりも埋没していることを特徴とする車両用ドア構造。
【請求項５】
前記フロントドアがヒンジ式であり、前記リアドアがスライド式であることを特徴とする請求項４に記載の車両用ドア構造。
【発明の詳細な説明】
【技術分野】
【０００１】
本発明は、車両用ドアハンドル構造および車両用ドア構造に関するものである。
【背景技術】
【０００２】
現在、車両用のドアハンドルは、大きく分けて、下に指をかけて引き上げて開けるヒンジ式のものと、手で握って引いて開けるグリップ式のものが普及している。これらドアハンドルはドアを開錠することで動作可能な状態になるが、近年の車両用のドアは、鍵を鍵穴に挿し込んで施錠および開錠する従来の構造の他、リモコンによる遠隔操作や電子キーとボタン操作とによって施錠および開錠を行う構造のものが普及している。例えば特許文献１のドアハンドル装置では、長尺状のドアハンドル本体１０の一端部に、ドアの施錠および開錠を行う押しボタン式のスイッチ装置２０が組み付けられている。
【先行技術文献】
【特許文献】
【０００３】
【特許文献１】特開２０１４−６６１０９号公報
【発明の概要】
【発明が解決しようとする課題】
【０００４】
押しボタン式のスイッチを備えるドアハンドルは、ボタン操作のしやすさと共に誤操作のし難さも求められている。例えば、運転席のドアは、車両の所有者であろう運転者に対してスムーズな乗車が提供できるよう、ボタンの押しやすい構造が望ましい。しかし、後部座席のドアは、子供だけでなく運転免許を取得していない大人など、車両の構造に不慣れな乗客も乗車するため、不意に手が置かれた場合にもボタンの押されにくい構造が望ましい。これらスイッチの操作性向上と誤操作防止は相反する作用でもあり、両立することは簡単ではない。また、ドアハンドルは、ドアの車外側の人目に触れやすい位置に設けられているため、美観の維持も重要である。
【０００５】
本発明は、このような課題に鑑み、操作性の向上と誤操作の防止とを両立し、さらには美観の向上にも資することが可能な車両用ドアハンドル構造および車両用ドア構造を提供することを目的としている。
【課題を解決するための手段】
【０００６】
上記課題を解決するために、本発明にかかる車両用ドアハンドル構造の代表的な構成は、車両のドアの車外側に設けられドアの開閉時に把持されるドアハンドルと、ドアハンドルに設けられた開口と、開口内に設けられ押し込まれることでドアを開扉する押しボタン式のハンドルスイッチとを備え、ドアハンドルのうち開口の周囲には、ドアハンドルの表面よりも落ち込んでいてハンドルスイッチをより深い位置まで露出させている切欠領域が形成されていることを特徴とする。
【０００７】
上記課題を解決するために、本発明にかかる車両用ドア構造の代表的な構成は、前部座席用のフロントドアと、フロントドアの後部の車外側に設けられフロントドアの開閉時に把持される車両前後方向に長手のフロントドアハンドルと、フロントドアハンドルの後端に設けられたフロント開口と、フロント開口内に設けられ押し込まれることでフロントドアを開扉する押しボタン式のフロントハンドルスイッチと、フロントドアハンドルのうちフロント開口の周囲に設けられ、フロントドアハンドルの表面よりも落ち込んでいてフロントハンドルスイッチをより深い位置まで露出させているフロント切欠領域と、フロントドアに隣接している後部座席用のリアドアと、リアドアの前部の車外側に設けられリアドアの開閉時に把持される車両前後方向に長手のリアドアハンドルと、リアドアハンドルの前端に設けられたリア開口と、リア開口内に設けられ押し込まれることでリアドアを開扉する押しボタン式のリアハンドルスイッチと、リアドアハンドルのうちリア開口の周囲に設けられ、リアドアハンドルの表面よりも落ち込んでいてリアハンドルスイッチをより深い位置まで露出させているリア切欠領域を備え、フロントハンドルスイッチの頂部はフロントドアハンドルの表面よりも突出していて、リアハンドルスイッチの頂部はリアドアハンドルの表面と面一であり、あるいは表面よりも埋没していることを特徴とする。
【発明の効果】
【０００８】
本発明によれば、操作性の向上と誤操作の防止とを両立し、さらには美観の向上にも資することが可能な車両用ドアハンドル構造および車両用ドア構造を提供することが可能である。
【図面の簡単な説明】
【０００９】
【図１】本発明の実施例に係る車両用ドア構造および車両用ドアハンドル構造の概要を示す図である。
【図２】図１（ｃ）のフロントドアハンドルのＡ−Ａ断面図である。
【図３】図１（ｂ）のリアドアハンドルのＣ−Ｃ断面図である。
【図４】図２（ｂ）のフロント切欠領域の変形例を示す図である。
【発明を実施するための形態】
【００１０】
本発明の一実施の形態に係る車両用ドアハンドル構造は、車両のドアの車外側に設けられドアの開閉時に把持されるドアハンドルと、ドアハンドルに設けられた開口と、開口内に設けられ押し込まれることでドアを開扉する押しボタン式のハンドルスイッチを備え、ドアハンドルのうち開口の周囲には、ドアハンドルの表面よりも落ち込んでいてハンドルスイッチをより深い位置まで露出させている切欠領域が形成されていることを特徴とする。
【００１１】
上記の切欠領域は、ハンドルスイッチの頂部の周囲に空間を確保する。そのため、ハンドルスイッチを高くせずともハンドルスイッチに指がかけやすくなり、ドアを開扉する際のハンドルスイッチの操作性を向上することが可能である。
【００１２】
上記のドアはスライド式であり、ハンドルスイッチの頂部はドアハンドルの表面と面一であり、あるいは表面よりも埋没していてもよい。ハンドルスイッチをドアハンドルの表面と面一または埋没させることで、ハンドルスイッチを不意に押してしまう等の誤操作を防止できる。例えば自動開閉機能付きのスライド式のドアの場合、ハンドルスイッチが押されると使用者の意思にかかわらずドアが開扉してしまうため、上記のハンドルスイッチの誤操作防止構造を好適に利用することができる。なお、ハンドルスイッチは、切欠領域によって押しやすくなっているため、ドアグリップの表面と面一または埋没させても問題なく機能することができる。
【００１３】
上記のドアはヒンジ式であり、ハンドルスイッチの頂部はドアハンドルの表面よりも突出していてもよい。ヒンジ式のドアは、運転席などに採用されることが多い。ハンドルスイッチを突出させることで、運転者に対するドアの開扉の際の操作性をより向上させることができる。
【００１４】
本発明の一実施の形態に係る車両用ドア構造は、前部座席用のフロントドアと、フロントドアの後部の車外側に設けられフロントドアの開閉時に把持される車両前後方向に長手のフロントドアハンドルと、フロントドアハンドルの後端に設けられたフロント開口と、フロント開口内に設けられ押し込まれることでフロントドアを開扉する押しボタン式のフロントハンドルスイッチと、フロントドアハンドルのうちフロント開口の周囲に設けられ、フロントドアハンドルの表面よりも落ち込んでいてフロントハンドルスイッチをより深い位置まで露出させているフロント切欠領域と、フロントドアに隣接している後部座席用のリアドアと、リアドアの前部の車外側に設けられリアドアの開閉時に把持される車両前後方向に長手のリアドアハンドルと、リアドアハンドルの前端に設けられたリア開口と、リア開口内に設けられ押し込まれることでリアドアを開扉する押しボタン式のリアハンドルスイッチと、リアドアハンドルのうちリア開口の周囲に設けられ、リアドアハンドルの表面よりも落ち込んでいてリアハンドルスイッチをより深い位置まで露出させているリア切欠領域を備え、フロントハンドルスイッチの頂部はフロントドアハンドルの表面よりも突出していて、リアハンドルスイッチの頂部はリアドアハンドルの表面と面一であり、あるいは表面よりも埋没していることを特徴とする。
【００１５】
上記車両用ドア構造においても、前述した車両用ドアハンドル構造の作用および効果を発揮することができる。特に、特別な別部材等を用いることなく、フロントドアにおいてフロントハンドルスイッチの操作性を向上させ、リアドアにおいてリアドアスイッチの誤操作の防止を図ることができる。加えて、上記車両用ドア構造では、フロントドアの後部にフロントドアハンドルを設け、隣接するリアドアの前部にリアドアハンドルを設けているため、意匠を統一した二つのドアハンドルを近くに配置することで車両の美観を向上させることができる。
【００１６】
上記のフロントドアがヒンジ式であり、リアドアがスライド式であってもよい。この構成の各ドアにおいても、上記各ドアスイッチの操作性の向上と誤作動の防止とを好適に実施することができる。
【実施例】
【００１７】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
図１は、本発明の実施例に係る車両用ドア構造１００および車両用ドアハンドル構造（フロントドアハンドル１０２、リアドアハンドル１０４）の概要を示す図である。図１（ａ）は、車両右側の車両用ドア構造１００を示している。以下、図１その他の本願のすべての図面において、車両前後方向をそれぞれ矢印F(Forward)、B(Backward)、車幅方向の左右をそれぞれ矢印L(Leftward)、R(Rightward)、車両上下方向をそれぞれ矢印U(upward)、D(downward)で例示する。
【００１９】
図１（ａ）に示す車両用ドア構造１００は、前部座席用のフロントドア１０６と、フロントドア１０６に隣接している後部座席用のリアドア１０８とを備えている。これらドアは開閉の方式が異なっていて、フロントドア１０６は車両前方側を中心に回転させて開くヒンジ式のドアであり、リアドア１０８は車両後方側にスライドさせて開くスライド式のドアである。
【００２０】
フロントドア１０６およびリアドア１０８は、本発明の実施例に係る車両用ドアハンドル構造（フロントドアハンドル１０２、リアドアハンドル１０４）をそれぞれ備えている。フロントドアハンドル１０２はフロントドア１０６の後部に設けられていて、リアドアハンドル１０４はリアドア１０８の前部に設けられている。これらフロントドアハンドル１０２およびリアドアハンドル１０４はグリップ式であって、手で握って引いて開ける構造になっている。
【００２１】
図１（ｂ）は、図１（ａ）のリアドアハンドル１０４の拡大図である。リアドアハンドル１０４は、主要な部位として、リアドアグリップ１１０とリアハンドルカバー１１２を有している。リアドアグリップ１１０は、リアドア１０８の開閉時に把持される車両前後方向に長手の部品であって、リアドア１０８の前部の車外側に設けられている。リアハンドルカバー１１２は、リアドアグリップ１１０の前端に設けられていて、リアドアハンドル１０４の所定の内部構造を覆い隠している。
【００２２】
リアハンドルカバー１１２には、リアハンドルスイッチ１１４が設けられている。リアハンドルスイッチ１１４は、押しボタン式のスイッチであって、押し込まれることでリアドア１０８を開錠および自動開閉する。
【００２３】
図１（ｃ）は、図１（ａ）のフロントドアハンドル１０２の拡大図である。フロントドアハンドル１０２は、主要な部位として、フロントドアグリップ１１６とフロントハンドルカバー１１８を有している。フロントドアグリップ１１６は、フロントドア１０６の開閉時に把持される車両前後方向に長手の部品であって、フロントドア１０６の後部の車外側に設けられている。フロントハンドルカバー１１８は、フロントドアグリップ１１６の後端に設けられていて、フロントドアハンドル１０２の所定の内部構造を覆い隠している。
【００２４】
フロントハンドルカバー１１８には、フロントハンドルスイッチ１２０が設けられている。フロントハンドルスイッチ１２０は、押しボタン式のスイッチであって、押し込まれることでフロントドア１０６を施錠および開錠する。フロントドア１０６を開ける際には、フロントハンドルスイッチ１２０を押してフロントドア１０６を開錠し、フロントドアグリップ１１６の後端側をフロントハンドルカバー１１８からわずかに浮かせるよう引いて内部のラッチを解除させ、フロントドア１０６を車両前方側を中心に回転させるように手前に引いて開ける。
【００２５】
図２は、図１（ｃ）のフロントドアハンドル１０２のＡ−Ａ断面図である。フロントハンドルスイッチ１２０は、フロントハンドルカバー１１８に開けられたフロント開口１２２内に設けられている。
【００２６】
図２（ｂ）は、図２（ａ）のフロントハンドルスイッチ１２０の拡大図である。本実施例の車両用ドア構造１００では、フロントドアハンドル１０２において、フロントハンドルスイッチ１２０の操作性の向上を図っている。そのために、まずフロントハンドルカバー１１８のうちフロント開口１２２の周囲には、フロント切欠領域１２４が設けられている。本実施例では、フロント切欠領域１２４はフロント開口１２２の角に面取りを施すことで設けられている。
【００２７】
フロント切欠領域１２４は、フロントハンドルカバー１１８の表面よりも落ち込んでいて、フロントハンドルスイッチ１２０をより深い位置まで露出させている。フロント切欠領域１２４は、フロントハンドルスイッチ１２０の頂部１２６の周囲に空間を確保するため、フロントハンドルスイッチ１２０を高くせずとも、フロントハンドルスイッチ１２０に指をかけやすくすることができる。
【００２８】
さらに本実施例では、フロントハンドルスイッチ１２０の頂部１２６は、仮想線Ｌ１で示すフロントハンドルカバー１１８の表面よりも突出している。運転席のドアであるフロントドア１０６は、フロントハンドルスイッチ１２０を仮想線Ｌ１よりも突出させることで、運転者に対するフロントドア１０６の施錠および開錠の際の操作性をより向上させることができる。
【００２９】
以上のように、本実施例の車両用ドア構造１００および車両用ドアハンドル構造（フロントドアハンドル１０２）では、ヒンジ式のフロントドア１０６において、施錠および開錠の際のフロントハンドルスイッチ１２０の操作性を向上させている。
【００３０】
図３は、図１（ｂ）のリアドアハンドル１０４のＣ−Ｃ断面図である。リアハンドルスイッチ１１４は、リアハンドルカバー１１２に開けられたリア開口１２８内に設けられている。
【００３１】
図３（ｂ）は、図３（ａ）のリアハンドルスイッチ１１４の拡大図である。リアハンドルカバー１１２のうち、リア開口１２８の周囲には、リア切欠領域１３０が設けられている。本実施例では、リア切欠領域１３０は、リア開口１２８の角を曲面的に切り欠いてＲ形状を施すことで設けている。
【００３２】
リア切欠領域１３０もまた、リアハンドルカバー１１２の表面よりも落ち込んでいて、リアハンドルスイッチ１１４をより深い位置まで露出させている。リア切欠領域１３０は、リアハンドルスイッチ１１４の頂部１３２の周囲に空間を確保するため、リアハンドルスイッチ１１４を高くせずとも、リアハンドルスイッチ１１４に指をかけやすくすることができる。
【００３３】
本実施例の車両用ドア構造１００および車両用ドアハンドル構造（リアドアハンドル１０４）では、リアハンドルスイッチ１１４の誤操作の防止を図っている。具体的には、リアハンドルスイッチ１１４の頂部は、仮想線Ｌ２で示すリアハンドルカバー１１２の表面よりも埋没している。この構成によって、子供等が不意にリアハンドルカバー１１２に触れたとしても、リアハンドルスイッチ１１４が押されるおそれを減らしている。
【００３４】
スライド式のリアドア１０８には自動開閉機能が付いていて、例えば使用者が手に荷物を持った状態でも簡単に開けることができる。その一方で、上述したように子供等が不意にリアハンドルカバー１１２を触る場合や、例えば駐車場等にて隣の車両との間隔が狭く身体が不意にリアハンドルカバー１１２に触れる場合なども予想される。そのような場合、万が一にもリアドア１０８の開くことがないよう、リアハンドルスイッチ１１４はなるべく押され難い構成であることが望ましい。そこで本実施例では、上記のようにリアハンドルスイッチ１１４を仮想線Ｌ２よりも埋没させ、リアハンドルスイッチ１１４の誤操作防止構造として好適に実施している。特に本実施例では、リア切欠領域１３０によってリアハンドルスイッチ１１４の操作性を確保しているため、リアハンドルスイッチ１１４が仮想線Ｌ２より埋没していたとしても操作性が過度に下がることはない。
【００３５】
なお、リアハンドルスイッチ１１４の頂部１３２は、仮想線Ｌ２で示すリアハンドルカバー１１２の表面よりも埋没させずとも、リアハンドルカバー１１２の表面と面一にすることでも、不意に押されることを防止できる。
【００３６】
本実施例は、美観やコストでも有効である。例えば従来、押しボタン式のスイッチの誤操作を避けるために、スイッチの周りの部品の形状を盛り上がらせる手法を採ることがあった。このような手法でもスイッチの誤操作は防げるものの、意匠の変化が大きかったり、専用の部品が必要になるためコストの増加につながったりするおそれがあった。しかし本実施例であれば、図１（ａ）のフロントハンドルカバー１１８とリアハンドルカバー１１２とで意匠上の差異はほぼ無いため、意匠を統一して美観の向上に資することができ、部品の共通化を図ってコストの増加も抑えることができる。
【００３７】
図１（ａ）に示すように、本実施例の車両用ドア構造１００では、フロントドア１０６の後部にフロントドアハンドル１０２を設け、隣接するリアドア１０８の前部にリアドアハンドル１０４を設けているため、二つのドアハンドルが近くに並んで配置されている。上述したように、フロントドアハンドル１０２およびリアドアハンドル１０４は、特別な別部品等を用いることなく操作性の向上と誤操作防止とを図っている。そのため、意匠上の自由度も高く、意匠を統一した上で互いに近くに並べて配置することもでき、車両の美観を向上させることが可能である。
【００３８】
（変形例）
図４は、図２（ｂ）のフロント切欠領域１２４の変形例を示す図である。図２（ｂ）のフロント切欠領域１５０は、フロント開口１２２の角に面取りを設けることで実現されている。しかし、図４のフロント切欠領域１５０は、フロント開口１２２の角に段差を設けることで実現されている。この段差による構成は、図３（ｂ）のリア切欠領域１３０にも適用可能である。
【００３９】
フロント切欠領域１５０もまた、フロントハンドルカバー１１８の表面よりも落ち込んでいて、フロントハンドルスイッチ１２０をより深い位置まで露出させている。フロント切欠領域１５０もまた、フロントハンドルスイッチ１２０の頂部１２６の周囲に空間を確保するため、フロントハンドルスイッチ１２０を高くせずとも、フロントハンドルスイッチ１２０に指をかけやすくすることが可能である。
【００４０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４１】
本発明は、車両用ドアハンドル構造および車両用ドア構造に利用することができる。
【符号の説明】
【００４２】
Ｌ１…フロントハンドルカバーの表面を示す仮想線、Ｌ２…リアハンドルカバーの表面を示す仮想線、１００…車両用ドア構造、１０２…フロントドアハンドル、１０４…リアドアハンドル、１０６…フロントドア、１０８…リアドア、１１０…リアドアグリップ、１１２…リアハンドルカバー、１１４…リアハンドルスイッチ、１１６…フロントドアグリップ、１１８…フロントハンドルカバー、１２０…フロントハンドルスイッチ、１２２…フロント開口、１２４…フロント切欠領域、１２６…フロントハンドルスイッチの頂部、１２８…リア開口、１３０…リア切欠領域、１３２…リアハンドルスイッチの頂部、１５０…変形例のフロント切欠領域
【図１】
2018062735.tif 000003
【図２】
2018062735.tif 000004
【図３】
2018062735.tif 000005
【図４】
2018062735.tif 000006